(57)【要約】【課題】コモン電圧の歪みを回避して、表示データの高速書込み、かつ高画質な表示を実現する。【解決手段】表示パネル１０１にゲート駆動回路１１０、ドレイン駆動回路１１１、コモン駆動回路１１２をもつ駆動回路１０２と、この駆動回路１０２にバス１１３で接続する制御回路１０３を備える。表示パネル１０１の両側に２系統のコモン線１０８，１０９と、これらのコモン線に接続して櫛型配置されたコモン電極１０８Ａ，１０９Ａを設ける。コモン駆動回路１１２に２系統のコモン電圧生成回路と第ｎラインの表示データの平均値Ｘｎを算出する平均値算出回路、第ｎラインの表示データの平均値Ｘｎと第ｎ＋１ラインの表示データの平均値Ｘｎの差Ｙｎ＝（Ｘｎ＋１）−（Ｘｎ）を算出する変化量算出回路、変化量Ｙｎをもとにコモン電圧を制御する電圧制御回路を設け、変化量Ｙｎと同じ大きさ、同じ方向にコモン電圧を遷移させる。【選択図】図１
2009103819.tif 000002
【特許請求の範囲】
【請求項１】
複数ラインに配列し、各ライン毎に複数の画素を配置してなり、前記画素は、スイッチング素子と、該スイッチング素子で駆動される画素電極と、この画素電極に絶縁層を介して対向する共通電極で構成される画素容量を有する表示パネルと、
前記スイッチング素子を選択する制御信号を供給する第１の信号線と、
前記スイッチング素子に階調電圧を供給する第２の信号線と、
前記第１の信号線に制御信号を供給する第１の駆動回路と、
前記第２の信号線に階調電圧を供給する第２の駆動回路と、
を備えた表示装置において、
前記共通電極を２系統以上設けると共に、該共通電極に共通電圧を供給するための第３の信号線を２系統以上備え、
前記第３の信号線に共通電圧を印加する第３の駆動回路を設けてなり、
前記第３の駆動回路は、前記第２の駆動回路から出力される階調電圧の変化と同じ方向に、前記第３の信号線に印加する共通電圧を遷移させることを特徴とする表示装置。
【請求項２】
請求項１において、
前記第３の駆動回路は、外部から入力される表示データの１ライン分の平均値を算出する平均値算出回路と、前記平均値の１ライン毎の変化量を算出する変化量算出回路を備え、
１ラインの書込みを終了後、次のラインの書込みを開始する際、前記変化量と同じ大きさ、同じ方向に前記第３の信号線に供給する共通電圧を遷移させることを特徴とする表示装置。
【請求項３】
請求項１において、
１ラインの画素に階調電圧の書込みを行う期間に、当該書込みを行うラインの共通電極に接続されない第３の信号線に印加する共通電圧を直線的に変化させることを特徴とする表示装置。
【請求項４】
請求項１において、
前記第３の駆動回路は、出力電圧の異なる２系統以上の電圧生成回路と、前記電圧生成回路と前記第３の信号線との間に設けたスイッチを有し、
前記２系統以上設けられる前記第３の信号線のうち、書込みを行うラインの共通電極に接続されない第３の信号線を切断するスイッチを備えたことを特徴とする表示装置。
【請求項５】
請求項１において、
前記共通電極は、前記表示パネルの各片側に設けられた２系統以上の前記第３の信号線に片側を接続し、１ラインごとに交互に配置した櫛型電極の形状を有することを特徴とする表示装置。
【請求項６】
請求項１において、
前記共通電極は、前記表示パネルの両側に設けられた２系統以上の前記第３の信号線のそれぞれに両端を接続し、１ラインごとに交互に配置した梯子型電極の形状を有することを特徴とする表示装置。
【請求項７】
複数の第１の信号線と、前記複数の第１の信号線に交差する複数の第２の信号線と、前記複数の第１の信号線と前記複数の第２の信号線との交点に対応して配置され前記第１の信号線と前記第２の信号線に接続される複数の画素と、前記複数の第１の信号線と前記複数の第２の信号線に対向する共通電極とを備えた表示パネルと、
前記第１の信号線に制御信号を供給する第１の駆動回路と、
前記第２の信号線に、外部から入力された表示データに対応する階調電圧を供給する第２の駆動回路と、
を備えた表示装置において、
前記共通電極に印加される共通電圧は、前記第２の駆動回路から出力される前記階調電圧の変化と同じ方向に変化することを特徴とする表示装置。
【発明の詳細な説明】
【技術分野】
【０００１】
本発明は、表示装置に係り、特に画素電極の印加電圧による共通電極の電圧変動を抑制して高速、かつ高品質表示を実現した表示装置に関する。
【背景技術】
【０００２】
パソコンやテレビ受信機等の表示装置として、また携帯電話等の小型のモバイル端末の表示装置として液晶表示装置が広く用いられている。また、近年は有機ＥＬ表示装置も実用化段階にある。本明細書では、この種の表示装置の典型例として液晶表示装置を例として説明する。液晶表示装置は、絶縁基板上に複数の画素をマトリクス配列した表示部と、複数の画素の表示を制御する駆動部とで構成される。表示部を構成する画素は、薄膜トランジスタ（Ｔｈｉｎ Ｆｉｌｍ Ｔｒａｎｓｉｓｔｏｒ：ＴＦＴ）に代表されるスイッチング素子と、このスイッチング素子で選択される画素電極と、液晶層を介して画素電極と対向する対向電極（以下、共通電極、コモン電極とも言う）で構成される。駆動部は、上記画素を選択する制御線駆動回路（ゲート線駆動回路）と、選択された画素に表示データ（階調信号）を供給するデータ線駆動回路（ドレイン線駆動回路）を有する。
【０００３】
携帯電話等のモバイル端末などでは、電池での動作を容易にするため、液晶の駆動電圧を小さく抑えることのできるコモン電極に印加する電圧の極性を周期的に反転させるコモン反転駆動方式が用いられる。コモン反転駆動方式は、コモン電極に印加する電圧をフレーム毎、又は、ライン毎に反転する駆動方式であり、コモン電圧を一定とした場合に比べて、信号線の振幅を小さくすることができる。
【０００４】
コモン電圧のライン反転を行う方法として、コモン２系統駆動方式がしばしば用いられる。この方式は、コモン電圧の生成回路と、コモン電圧を供給する配線（コモン線）を高電圧用と低電圧用との２系統設け、１ライン毎に高電圧と低電圧を交互に供給する方式である。これを実現するため、コモン電極として櫛形に形成した櫛型電極が用いられ、２系統設けられる櫛型電極の各電極を１ライン毎に交互に配置する構成が用いられる。ここで、２系統設けられる配線で櫛型電極に供給される電圧を１フレーム毎に高電圧から低電圧へ、また低電圧から高電圧へと切替えることで、コモン電圧のライン反転とともに、コモン電圧のフレーム反転も行うことができる。このような技術を開示したものとしては、例えば、特許文献１を挙げることができる。
【特許文献１】特開２００２−２７７８９７号公報
【発明の開示】
【発明が解決しようとする課題】
【０００５】
しかしながら、特許文献１に記載された方式は、薄膜トランジスタに表示データ（階調電圧）を供給するデータ線であるドレイン線とコモン線との容量カップリングにより、またドレイン電圧の交流化に伴い、コモン電極の電圧に歪みが発生する。すなわち、ドレイン線への書込みの際、ドレイン電圧の立ち上がりと立下りのタイミングにおいて、ドレイン電圧の変化がドレイン線とコモン線の間の容量を介してコモン線に影響し、コモン電圧にスパイク状のノイズが発生する。このような歪みを受けた場合、コモン電圧が元の電圧に戻るには、配線抵抗Ｒと線間容量Ｃによる時定数（ＣＲ）程度の時間が必要である。そのため、水平走査時間が短い場合には、画素に正確な書き込みを行うことができず、クロストーク等、画質劣化の原因をもたらす。従って、高速で高画質を実現するためには、コモンの電圧歪みを低減することが必要となる。
【０００６】
本発明の目的は、表示データの書き込みに起因するコモン電圧の歪を低減して高速で高画質の表示を実現することにある。
【課題を解決するための手段】
【０００７】
上記目的を達成するため、本発明は、コモン電極を２系統も受けると共に、コモン電圧の生成回路も２系統設け、このコモン電圧の生成回路とコモン電極のそれぞれにコモン電圧を供給する配線を配置する。また、第ｎラインの表示データの平均値Ｘｎを算出する平均値算出回路を備え、第ｎラインの表示データの平均値Ｘｎと第ｎ＋１ラインの表示データの平均値Ｘｎの差Ｙｎ＝（Ｘｎ＋１）−（Ｘｎ）を算出する変化量算出回路を備える。そして、変化量Ｙｎをもとにコモン電圧を制御する電圧制御回路を設けて、変化量Ｙｎと同じ大きさ、同じ方向にコモン電圧を遷移させる。
【発明の効果】
【０００８】
ドレイン電圧の変化と同じ方向、同じ大きさだけコモン電圧を遷移させるため、コモン電圧に歪みを生ずることなく、高速な書込みが可能となる。
【発明を実施するための最良の形態】
【０００９】
以下、本発明の最良の実施形態につき、実施例の図面を用いて詳細に説明する。なお、実施例を説明するための全ての図面において、同一機能を有するものは同一符号をつけ、その繰り返しの説明は省略する。
【実施例１】
【００１０】
図１は、本発明の実施例１を説明する液晶表示示装置の構成図である。図１に示した液晶表示装置は、表示パネル１０１と駆動回路１０２をガラスなどの絶縁基板（図示せず）上に形成して構成される。液晶表示示装置には、制御回路１０３からバス１１３を通して表示のための各種信号（表示データ、同期信号等）が供給される。表示部である表示パネル１０１には、複数のゲート線１０６が図面の横方向に延在して配置される。また、複数のドレイン線１０７が図面の縦方向に延在して配置される。そして、ゲート線１０６とドレイン線の夫々の交叉部分にスイッチング素子としての薄膜トランジスタ（ＴＦＴ）１０４と画素容量１０５からなる画素が設けられる。画素容量１０５は、コモン線１０８，１０９につながる対向電極１０８Ａ，１０９Ａと薄膜トランジスタ１０４との間にある液晶層とで形成される液晶容量と保持容量の和であるが、図１には液晶容量のみを示した。
【００１１】
上記のように、各画素の対向電極に共通電圧（コモン電圧）を供給するためのコモン線（１０８、１０９）を２系統設けている。これらのコモン線１０８、１０９は、図１に示したように、表示パネルの左側に配置したコモン線１０８から給電されるコモン電極１０８Ａと右側に配置したコモン線１０９から給電されるコモン電極１０９Ａとを１ライン毎に交互に配置した、所謂櫛型に配置され、コモン駆動回路１１２からコモン電圧が供給される。駆動回路１０２は、ゲート駆動回路１１０、ドレイン駆動回路１１１、コモン駆動回路１１２より構成される。これらの各駆動回路は、制御装置１０３にて制御される。なお、コモン線１０８、１０９は、表示パネル１０１の左側または右側からの片側給電を行う上記の櫛型電極配置に限らず、２系統のコモン電極１０８Ａと１０９Ａに左右両側からそれぞれ給電する、所謂梯子型電極配置とすることもできる。
【００１２】
図２は、本発明の実施例１におけるコモン駆動回路の構成を説明する図であり、本表示装置で用いられるコモン駆動回路１１２の構成を示したものである。ここで、図1の左側に配置されたコモン線１０８にはコモン電圧ＶｃｏｍＡを供給し、右側のコモン線１０９にはコモン電圧ＶｃｏｍＢを供給する。コモン電圧ＶｃｏｍＡ、ＶｃｏｍＢは、コモン駆動回路１１２より供給される。各ラインの櫛型のコモン電極には、左側のコモン線１０８からコモン電圧ＶｃｏｍＡが供給され、右側のコモン線１０９からＶｃｏｍＢ供給される。このため、各ラインのコモン電極には、１ライン毎に交互にＶｃｏｍＡ、ＶｃｏｍＢ、ＶｃｏｍＡ、ＶｃｏｍＢ、ＶｃｏｍＡ、ＶｃｏｍＢ・・・の電圧が供給される。
【００１３】
図1に示した本発明の実施例１で用いられるコモン駆動回路１１２は、高電圧のコモンアンプ２０１と低電圧のコモンアンプ２０２と、切替えスイッチ２０３と、出力端子２０４と、電圧制御回路２０５と、平均値算出回路２０７と、変化量算出回路２０６とで構成される。
【００１４】
電圧制御回路２０５は、２つのコモンアンプの入力電圧ＶｉｎＨ、ＶｉｎＬを出力する。高電圧のコモンアンプ２０１は、ＶｉｎＨを入力電圧とし、電圧ＶｃｏｍＨを出力する。また。低電圧のコモンアンプ２０２は、ＶｉｎＬを入力電圧とし、電圧ＶｃｏｍＬを出力する。これらのアンプ回路には、一般的なボルテージフォロワ回路を適用することができる。この場合、ＶｃｏｍＨ＝ＶｉｎＨ、ＶｃｏｍＬ＝ＶｉｎＬとなる。電圧制御回路２０５は、２つの電圧ＶｉｎＨ、ＶｉｎＬを時間的に変化させる機能を備えている。ここでスイッチＳＷ１、ＳＷ２、ＳＷ３、ＳＷ４は、２つのコモンアンプ２０１、２０２と、２つの櫛型のコモン電極１０８Ａ、１０９Ａの接続を１フレーム毎に切り替えるために設けられる。
【００１５】
図３は、本発明の実施例１におけるコモン駆動回路のスイッチ状態を示す図であり、奇数および偶数フレームにおけるスイッチの状態を示したものである。奇数フレームにおいては、ＳＷ１＝ＯＮ、ＳＷ２＝ＯＦＦ、ＳＷ３＝ＯＦＦ、ＳＷ４＝ＯＮであり、高電圧のコモンアンプ２０１は、櫛型のコモン電極１０８Ａに接続され、ＶｃｏｍＡ＝ＶｃｏｍＨとなり、低電圧のコモンアンプ２０２は、櫛型のコモン電極１０９Ａに接続され、ＶｃｏｍＢ＝ＶｃｏｍＬとなる。偶数フレームにおいては、ＳＷ１＝ＯＦＦ、ＳＷ２＝ＯＮ、ＳＷ３＝ＯＮ、ＳＷ４＝ＯＦＦであり、高電圧のコモンアンプ２０１は、櫛型のコモン電極１０９Ａに接続され、ＶｃｏｍＢ＝ＶｃｏｍＨとなり、低電圧のコモンアンプ２０２は、櫛型のコモン電極１０８Ａに接続され、ＶｃｏｍＡ＝ＶｃｏｍＬとなる。このように、１フレーム毎にスイッチを切替えることで、（ＶｃｏｍＡ、ＶｃｏｍＢ）＝（ＶｃｏｍＨ、ＶｃｏｍＬ）→（ＶｃｏｍＬ、ＶｃｏｍＨ）→（ＶｃｏｍＨ、ＶｃｏｍＬ）→（ＶｃｏｍＬ、ＶｃｏｍＨ）→（ＶｃｏｍＨ、ＶｃｏｍＬ）という具合に、１フレーム毎にコモン電圧を変化させることができる。従って、コモンのフレーム反転が可能となる。
【００１６】
一つのフレーム内では、スイッチ状態は不変であるが、既に述べたように、各ラインの対向電極には、１ラインごとにＶｃｏｍＡ、ＶｃｏｍＢが交互に供給されるため、例えば奇数フレームにおいては、１ライン毎に、対向電極にＶｃｏｍＨ、ＶｃｏｍＬ、ＶｃｏｍＨ、ＶｃｏｍＬ、ＶｃｏｍＨ・・・が供給され、偶数フレームにおいては、１ライン毎に、対向電極にＶｃｏｍＬ、ＶｃｏｍＨ、ＶｃｏｍＬ、ＶｃｏｍＨ、ＶｃｏｍＬ・・・が供給される。このため、コモンのフレーム反転と共に、コモンのライン反転を行うことができる。
【００１７】
次に、コモン駆動回路１１２の動作を、図４を用いて説明する。図４は、本発明の実施例１におけるコモン駆動回路の平均値算出回路の動作を示す図である。ＲＧＢのデジタル表示データは、制御回路１０３から１ライン毎に駆動回路１０２に供給される。駆動回路１０２に供給されたデジタル表示データは、ドレイン駆動回路１１１により、アナログの階調電圧に変換され、１ライン毎に表示パネル１０１の全ドレイン線１０７に供給される。ここで、第１ラインのデジタル表示データをＤ１１、Ｄ１２、Ｄ１３・・・とし、第２ラインの表示データをＤ２１、Ｄ２２、Ｄ２３・・・とし、第３ラインの表示データをＤ３１、Ｄ３２、Ｄ３３・・・とし、第４ラインの表示データをＤ４１、Ｄ４２、Ｄ４３・・・等と仮定する。
【００１８】
図２に示したコモン駆動回路１１２において、平均値算出回路２０７は、１ライン毎に全てのドレイン線の表示データの平均値を算出する。すなわち、第１ラインの表示データの平均値Ｘ１＝（Ｄ１１＋Ｄ１２＋Ｄ１３＋・・・＋Ｄ１Ｍ）／Ｍ、第２ラインの表示データの平均値Ｘ２＝（Ｄ２１＋Ｄ２２＋Ｄ２３＋・・・＋Ｄ２Ｍ）／Ｍ、第３ラインの表示データの平均値Ｘ３＝（Ｄ３１＋Ｄ３２＋Ｄ３３＋・・・＋Ｄ３Ｍ）／Ｍ、第ｎラインの表示データの平均値Ｘｎ＝（Ｄｎ１＋Ｄｎ２＋Ｄｎ３＋・・・・ＤｎＭ）／Ｍ等を、１ライン毎に算出する。ここで、全ドレイン線の数をＭとした。
【００１９】
次に、変化量算出回路２０６は、１ラインごとの平均値Ｘｎの変化量を算出する。すなわち、第１ラインの平均値Ｘ１と第２ラインの平均値Ｘ２の差Ｙ１＝Ｘ２−Ｘ１、第２ラインの平均値Ｘ２と第３ラインの平均値Ｘ３の差Ｙ２＝Ｘ３−Ｘ２、第３ラインの平均値Ｘ３と第４ラインの平均値Ｘ４の際Ｙ３＝Ｘ４−Ｘ３などを、１ライン毎に順次算出する。
【００２０】
電圧制御回路２０５は、各ラインの変化量Ｙｎをもとに、２つのコモンアンプ（２０１、２０２）の入力電圧ＶｉｎＨ、ＶｉｎＬを制御する。各ラインの変化量Ｙｎから、どのようにしてコモンアンプの入力電圧ＶｉｎＨ、ＶｉｎＬを制御するかを、図５を用いて説明する。図５は、本発明の実施例１におけるコモン駆動回路の動作を示す図である。既に述べたように、２つのコモンアンプと櫛型のコモン電極に給電するコモン線との接続は、図３に示したように１フレームごとに切替えられるが、ここではＶｃｏｍＡ＝ＶｃｏｍＨ、ＶｃｏｍＢ＝ＶｃｏｍＬとなるフレームについて説明する。図５において、３つのグラフのうち、上はＶｃｏｍＡの波形を示しており、下はＶｃｏｍＢの波形を示しており、中央は各ラインの平均値Ｘｎを示している。
【００２１】
既に説明したように、本発明の実施例１に係わる表示装置は、２系統設けたコモン線に二つのコモン電圧ＶｃｏｍＡ、ＶｃｏｍＢを１ライン毎に交互に供給する。以下の説明では、奇数ラインのコモン電圧をＶｃｏｍＡ、偶数ラインのコモン電圧をＶｃｏｍＢと仮定する。ここで、表示データに対応した表示輝度を得るのに必要な高電圧側の正規のコモン電圧をＶＨ０とし、また低電圧側の正規のコモン電圧をＶＬ０とする。また、第１ラインの階調電圧の平均値をＸ１、第２ラインの平均値をＸ２、第３ラインの平均値をＸ３、第４ラインの平均値をＸ４・・・と仮定する。まず、第１ラインの対向電極には、ＶｃｏｍＡ＝ＶｃｏｍＨ＝ＶｉｎＨ＝ＶＨ０が供給される。同様に、第２ラインのコモン電圧はＶｃｏｍＢ＝ＶｃｏｍＬ＝ＶｉｎＬ＝ＶＬ０である。一般的に、奇数ラインのコモン電圧は、ＶｃｏｍＡ＝ＶｃｏｍＨ＝ＶｉｎＨ＝ＶＨ０、偶数ラインのコモン電圧は、ＶｃｏｍＢ＝ＶｃｏｍＬ＝ＶｉｎＬ＝ＶＬ０である。
【００２２】
次に、ラインが切り替わる際の高電圧側のコモン電圧の制御について説明する。まず、第１ラインから第２ラインへの切り替わりについて説明する。第１ラインから第２ラインに切り替わる際、階調電圧の平均値は、Ｘ１からＸ２に変化する。平均値の差Ｙ１＝Ｘ２−Ｘ１を変化量算出回路２０６が検出すると、電圧制御回路２０５は、変化量Ｙ１に基づいて、コモンアンプ２０１の入力電圧ＶｉｎＨをＶｉｎＨ＝ＶＨ０からＶｉｎＨ＝ＶＨ０＋Ｙ１まで遷移させる。次に、第２ラインから第３ライン切り替わる際、階調電圧の平均値はＸ２からＸ３に変化し、変化量Ｙ１＝Ｘ３−Ｘ２を変化量算出回路２０６が検出する。
【００２３】
ここで、例えばＹ２の絶対値がＹ１の絶対値より大きい場合には、第２ラインの書込み期間中に、電圧制御回路２０５は、ＶｉｎＨをＶｉｎＨ＝ＶＨ０＋Ｙ１からＶｉｎＨ＝ＶＨ０＋Ｙ２まで直線的に変化させる。このため、第２ラインから第３ラインに切り替わる際、電圧制御回路２０５はＶｉｎＨをＹ２と同じ方向、同じ大きさだけ遷移させたとき、第３ラインにおいては、ＶｉｎＨ＝ＶＨ０であり、表示データに対応した表示輝度を得ることができる。
【００２４】
次に、第３ラインから第４ラインに切り替わる際、階調電圧の平均値は、Ｘ３からＸ４に変化する。平均値の差Ｙ３＝Ｘ４−Ｘ３を変化量算出回路２０６が検出すると、電圧制御回路２０５は、変化量Ｙ３に基づいて、コモンアンプ２０１の入力電圧ＶｉｎＨをＶｉｎＨ＝ＶＨ０からＶｉｎＨ＝ＶＨ０＋Ｙ３まで遷移させる。次に、第４ラインから第５ライン切り替わる際、階調電圧の平均値はＸ４からＸ５に変化し、変化量Ｙ４＝Ｘ５−Ｘ４を変化量算出回路２０６が検出する。ここで、例えばＹ４の絶対値がＹ３の絶対値より大きい場合には、第４ラインの書込み期間中に、電圧制御回路２０５は、ＶｉｎＨをＶｉｎＨ＝ＶＨ０＋Ｙ３からＶｉｎＨ＝ＶＨ０＋Ｙ４まで直線的に変化させる。このため、第４ラインから第５ラインに切り替わる際、電圧制御回路２０５はＶｉｎＨをＹ４と同じ方向、同じ大きさだけ遷移させたとき、第５ラインにおいては、ＶｉｎＨ＝ＶＨ０であり、表示データに対応した表示輝度を得ることができる。以上と同じ動作を、第５ライン以降についても繰り返す。
【００２５】
次に、ラインが切り替わる際の低電圧側のコモン電圧の制御について説明する。まず、第２ラインから第３ラインへの切り替わりについて説明する。第２ラインから第３ラインに切り替わる際、階調電圧の平均値は、Ｘ２からＸ３に変化する。平均値の差Ｙ２＝Ｘ３−Ｘ２を変化量算出回路２０６が検出すると、電圧制御回路２０５は、変化量Ｙ２に基づいて、コモンアンプ２０２の入力電圧ＶｉｎＬをＶｉｎＬ＝ＶＬ０からＶｉｎＬ＝ＶＬ０＋Ｙ２まで遷移させる。次に、第３ラインから第４ライン切り替わる際、階調電圧の平均値はＸ３からＸ４に変化し、変化量Ｙ３＝Ｘ４−Ｘ３を変化量算出回路２０６が検出する。
【００２６】
ここで、例えばＹ２が負、Ｙ３が正となる場合には、第３ラインの書込み期間中に、電圧制御回路２０５は、ＶｉｎＬをＶｉｎＬ＝ＶＬ０＋Ｙ２からＶｉｎＨ＝ＶＨ０＋Ｙ３まで直線的に変化させる。このため、第３ラインから第４ラインに切り替わる際、電圧制御回路２０５はＶｉｎＬをＹ３と同じ方向、同じ大きさだけ遷移させたとき、第４ラインにおいては、ＶｉｎＬ＝ＶＬ０であり、表示データに対応した表示輝度を得ることができる。次に、第４ラインから第５ラインに切り替わる際、階調電圧の平均値は、Ｘ４からＸ５に変化する。平均値の差Ｙ４＝Ｘ５−Ｘ４を変化量算出回路２０６が検出すると、電圧制御回路２０５は、変化量Ｙ４に基づいて、コモンアンプ２０２の入力電圧ＶｉｎＬをＶｉｎＬ＝ＶＬ０からＶinＬ＝ＶＬ０＋Ｙ４まで遷移させる。次に、第５ラインから第６ライン切り替わる際、階調電圧の平均値はＸ５からＸ６に変化し、変化量Ｙ５＝Ｘ６−Ｘ５を変化量算出回路２０６が検出する。
【００２７】
ここで、例えばＹ４が正、Ｙ５が負となる場合には、第５ラインの書込み期間中に、電圧制御回路２０５は、ＶｉｎＬをＶｉｎＬ＝ＶＬ０＋Ｙ４からＶｉｎＬ＝ＶＬ０＋Ｙ５まで直線的に変化させる。このため、第５ラインから第６ラインに切り替わる際、電圧制御回路２０５はＶｉｎＬをＹ５と同じ方向、同じ大きさだけ遷移させたとき、第６ラインにおいては、ＶｉｎＬ＝ＶＬ０であり、表示データに対応した表示輝度を得ることができる。以上と同じ動作を第６ライン以降についても繰り返す。
【００２８】
以上説明したように、高電圧側および低電圧側のコモン電圧の制御行えば、ラインの切り替わる祭、階調電圧の平均値の変化と同じ方向、同じ大きさだけＶｃｏｍＡ、ＶｃｏｍＢを遷移させるため、ラインの切り替わりにおいてドレイン線とコモン線の間の電圧は変化せず、ラインの切り替わりにおけるコモン電圧のスパイク状の歪みを低減することができる。このため、表示パネルへの書込みを高速化することができる。また、偶数ラインの書込み期間中にＶｃｏｍＡを直線変化させ、奇数ラインの書込み期間中にＶｃｏｍＢを直線変化させるので、奇数ラインにおいてはＶｃｏｍＡ＝ＶＨ０、偶数ラインにおいてはＶｃｏｍＢ＝ＶＬ０とすることができ、全てのラインにおいて表示データに対応した表示輝度を得ることができる。
【実施例２】
【００２９】
本発明の実施例２に係わる表示装置は、２系統設けられるコモン線のうち、書込みを行うラインのコモン電極に接続されない方のコモン線を、コモンアンプの出力側で切断し、ドレイン線とコモン線の間の総容量を小さくすることで、書込みの高速化、消費電力の低減を図ったものである。本発明の実施例２に係わる表示装置の全体の構成は図１に示すものと同一である。この構成については、実施例１において詳細な説明を行ったので、ここではその説明を省略する。
【００３０】
図６は、本発明の実施例２におけるコモン駆動回路の構成を説明する図であり、実施例２に係わる表示装置で用いられるコモン駆動回路の構成を示したものである。本発明の実施例１で用いられるコモン駆動回路は、高電圧側のコモンアンプ２０１と、低電圧側のコモンアンプ２０２と、スイッチ２０３で構成される。２つのコモンアンプには、入力電圧ＶｉｎＨ、ＶｉｎＬが供給される。ここで、二つのコモンアンプ２０１、２０２には、一般的なボルテージフォロワ回路が適用可能である。この場合、コモンアンプの出力電圧は入力電圧と等しく、ＶｃｏｍＨ＝ＶｉｎＨ、ＶｃｏｍＬ＝ＶｉｎＬとなる。
【００３１】
スイッチＳＷ１、ＳＷ２、ＳＷ３、ＳＷ４は、２つのコモンアンプと２つのコモン線の接続を切り替えるために設けられる。図７は、本発明の実施例２におけるコモン駆動回路のスイッチ状態を示す図であり、奇数フレームと偶数フレーム、及び、奇数ラインと偶数ラインにおけるスイッチ状態を示したものである。第１の実施例と同様に、各ラインへの書込みを行う際、奇数フレームにおいては、左側のコモン線にＶｃｏｍＨ、右側のコモン線にＶｃｏｍＬを供給し、偶数フレームにおいては、左側のコモン線にＶｃｏｍＬ、右側のコモン線にＶｃｏｍＨを供給する。このため、奇数フレームにおいては、ＳＷ２＝ＯＦＦ、ＳＷ３＝ＯＦＦ、偶数フレームにおいては、ＳＷ１＝ＯＦＦ、ＳＷ４＝ＯＦＦとしている。
【００３２】
実施例１と同様に、各ラインのコモン電極には、２系統設けられる櫛型電極のコモン線が交互に接続される。ここで、本発明の実施例２では、書込みを高速化するため、２系統設けられるコモン線のうち、書込みを行うラインのコモン電極に接続されない方のコモン線を、コモンアンプの出力側でスイッチオフし、ドレイン線とコモン線の間の容量の低減している。これを実現するため、奇数フレームにおいては、奇数ラインではＳＷ１＝ＯＮ、ＳＷ４＝ＯＦＦ、偶数ラインではＳＷ１＝ＯＦＦ、ＳＷ４＝ＯＮとし、また、偶数フレームにおいては、奇数ラインではＳＷ２＝ＯＦＦ、ＳＷ３＝ＯＮ、偶数ラインではＳＷ２＝ＯＮ、ＳＷ３＝ＯＦＦとしている。この場合、２系統設けられるコモン線のうち、書込みを行うラインの対向電極に接続されない方のコモン線については、コモンアンプとの接続がカットされるため、ドレイン線への書込みを行う際、カットされた方のコモン線とドレイン線の間の容量への充放電がなくなるため、ドレイン線とコモン線の間の実効的な容量を半分に減らすことができる。このため、書込みの高速化に加えて、消費電力の低減が可能となる。
【００３３】
以上の実施例では、スイッチング素子として薄膜トランジスタを用いた液晶表示装置に本発明を適用したものについて説明したが、本発明はこれに限るものではなく、薄膜トランジスタ以外のスイッチング素子を用いた液晶表示装置、あるいは複数の画素に共通な電極の電圧が表示データによって変動する構成をもつ他の表示装置、例えば有機ＥＬ表示装置などにも同様に適用できる。
【図面の簡単な説明】
【００３４】
【図１】本発明の実施例１に係わる表示装置の構成を説明する図である。
【図２】本発明の実施例１におけるコモン駆動回路の構成を説明する図である。
【図３】本発明の実施例１におけるコモン駆動回路のスイッチ状態を説明する図である。
【図４】本発明の実施例１におけるコモン駆動回路の平均値算出回路の動作を説明する図である。
【図５】本発明の実施例１におけるコモン駆動回路の動作を説明する図である。
【図６】本発明の実施例２におけるコモン駆動回路の構成を説明する図である。
【図７】本発明の実施例２におけるコモン駆動回路のスイッチ状態を説明する図である。
【符号の説明】
【００３５】
１０１・・・表示パネル、１０２・・・駆動回路、１０３・・・制御回路、１０４・・・薄膜トランジスタ（ＴＦＴ）、１０５・・・画素容量、１０６・・・ゲート線、１０７・・・ドレイン線、１０８・・・コモン線、１０９・・・コモン線、１０８Ａ・・・コモン電極、１０９Ａ・・・コモン線電極、１１０・・・ゲート駆動回路、１１１・・・ドレイン駆動回路、１１２・・・コモン駆動回路、１１３・・・バス、２０１・・・アンプ回路、２０２・・・アンプ回路、２０３・・・スイッチ、２０４・・・端子、２０５・・・電圧制御回路、２０６・・・変化量算出回路、２０７・・・平均値算出回路、６０１・・・端子。
【図１】
2009103819.tif 000003
【図２】
2009103819.tif 000004
【図３】
2009103819.tif 000005
【図４】
2009103819.tif 000006
【図５】
2009103819.tif 000007
【図６】
2009103819.tif 000008
【図７】
2009103819.tif 000009